(57)【要約】【課題】  衣類やバッグ類のポケットに適用して、その中への物品の装入動作は開口部に何も構成していない場合と全く同様に行い得られ、他方、該ポケットの開口部が下向になってもそれのみでは容易に収容物が落下しないように開口部を閉鎖すること。【解決手段】  ポケット１の開口部１ａの内側上縁部に相互に対向させて配設した一対の帯状吊下片２、３と、両帯状吊下片２、３の下縁部に配した硬質閉鎖片４、５とで構成する。帯状取付片２、３は柔軟な上着の裏地材で構成したもので、その上縁をポケット１の開口部１ａに縫合して取り付け、それぞれ収容部１ｂ内に垂下させる。帯状取付片２、３の下端部に硬質閉鎖片４、５を吊下げ状態に配する。帯状取付片２、３はポケット１の深さ方向に長く、その寸法ｈ１は硬質閉鎖片４、５の寸法ｈ２の約２倍の深さ方向寸法とする。【選択図】  図１
2006111981.tif 000002
【特許請求の範囲】
【請求項１】
衣類及びバッグ類のポケットの開口部に構成し、物品の収納動作には支障なく、該開口部を単に下向きにしたに過ぎない場合には収納中の物品の落下を妨げるべく作用するポケット開口部構造であって、
前記ポケットの開口部の内側上縁部に、各々該開口部の幅に対応する幅で柔軟な材質である一対の帯状吊下片を相互に対向させて配設し、かつ該両帯状吊下片の下縁部に各々これらと同幅で帯状の硬質閉鎖片を接続して構成したポケット開口部構造。
【請求項２】
前記帯状吊下片のポケット深さ方向の寸法を前記硬質閉鎖片のポケット深さ方向の寸法の２倍に構成した請求項１のポケット開口部構造。
【請求項３】
前記一対の硬質閉鎖片の内の一方のそれを他方のそれよりポケット深さ方向に長く構成し、その一方の硬質閉鎖片の下部の他方より長い部分を他方側に向けて側面から見て「く」字形状に屈曲させた請求項１又は２のポケット開口部構造。
【発明の詳細な説明】
【技術分野】
【０００１】
本発明は、ポケット開口部構造に関し、特に、衣類やバッグ類のポケットに適用して、物品のポケットへの収納動作には何らの支障が生じないが、他方で、このポケットの開口部を単に下向きにしたに過ぎない場合には収容中の物品を該開口部から容易に落下させないように機能するポケット開口部構造に関するものである。
【背景技術】
【０００２】
衣類やバッグ類には、多くの場合、上部の開口部から物品の出し入れを可能とした小物物品収納用のポケットが取付けられている。このようなポケットには、例えば、上着に設けたそれの場合は着用している人が下を向くなどを動作をした場合に、上部に開いた開口部が下向になって収容中の物品が落下してしまう等の問題が生じることがしばしばある。これを防止するため、ポケットの開口部にファスナやマジックテープ（登録商標）等の開閉手段を取り付けている例もあるが、出し入れの都度そのような開閉手段の開閉操作をするのは煩わしく使い勝手が良いとは言えない。
【０００３】
開口部を封鎖することができるポケットに関して、特許文献１、２の提案例がある。
特許文献１は、衣服上着に新設する携帯電話の専用ポケットに関するもので、そのポケットの深さを収容する携帯電話の大きさ（長さ）に応じて３段階に切り替えて利用出来るように、最下部から深さ方向に２５ｍｍの間隔で取り外しのできる２本の糸で縫い付けて置き、該携帯電話の大きさに応じて、その糸を、標準型の場合は２本共に取り外し、中型の場合は上部の１本だけを取り外し、小型の場合はいずれも取り外さず全て残したまま使用するように構成したものである。また、収納した携帯電話の落下防止と振れ止めのために該ポケットの外側裏地面にマジックテープ（登録商標）「親」とポケット蓋の内側にマジックテープ（登録商標）「子」を縫い付けてある。更にポケット蓋につまみが配してあり、受信のときこれを引き上げれば素早く取り出せるようになっている。
【０００４】
特許文献２は買物等の際に用いられる提げ手付き封鎖袋に関するもので、該袋体の開口部内面に接着面を配設し、該接着面にはテープが着脱自在に接着してある。この袋体の中に何らかの物品を入れ、前記テープを剥がすと、露出状態となった両側の接着面がその接着作用によって相互に接着可能となり、前記開口部を封鎖することができるようになる。また剥がしたテープの両端は、前記開口部の両端に固定してあり、上記のように、テープを剥がし、対面する接着面相互を接着して前記開口部を封鎖した後は、該テープを提げ手として利用することができるようにもなっている。
【０００５】
以上のように、特許文献１のポケットは、携帯電話の保管専用のそれとして、該携帯電話の落下防止の役割を果している。また、特許文献２の提げ手付き封鎖袋は、内容物の落下の防止やプライバシーの保護の観点で良い効果が得られていることは確かである。しかし、いずれも、ポケット又は袋体に物品を入れる際には、閉じられた開口部を開く一操作、即ち、マジックテープ（登録商標）を外したり、テープを接着面から外す等の操作が必要であり、厄介である。
【０００６】
【特許文献１】特開平１１―０６１５３２号公報
【特許文献２】特開平０７―２７７３４６号公報
【発明の開示】
【発明が解決しようとする課題】
【０００７】
本発明は、以上に述べた従来技術の問題点を解決し、衣類やバッグ類のポケットに適用して、その中への物品の装入動作は開口部に何も構成していない場合と全く同様に行い得られ、他方、該ポケットの開口部が下向になってもそれのみでは容易に収容物が落下しない、使い勝手の良い、構成も簡単なポケット開口部構造を提供することを解決の課題とする。
【課題を解決するための手段】
【０００８】
本発明の１は、衣類及びバッグ類のポケットの開口部に構成し、物品の収納動作には支障なく、該開口部を単に下向きにしたに過ぎない場合には収納中の物品の落下を妨げるべく作用するポケット開口部構造であって、
前記ポケットの開口部の内側上縁部に、各々該開口部の幅に対応する幅で柔軟な材質である一対の帯状吊下片を相互に対向させて配設し、かつ該両帯状吊下片の下縁部に各々これらと同幅で帯状の硬質閉鎖片を接続して構成したポケット開口部構造である。
【０００９】
本発明の２は、本発明の１のポケット開口部構造に於いて、前記帯状吊下片のポケット深さ方向の寸法を前記硬質閉鎖片のポケット深さ方向の寸法の２倍に構成したものである。
【００１０】
本発明の３は、本発明の１又は２のポケット開口部構造に於いて、前記一対の硬質閉鎖片の内の一方のそれを他方のそれよりポケット深さ方向に長く構成し、その一方の硬質閉鎖片の下部の他方より長い部分を他方側に向けて側面から見て「く」字形状に屈曲させたものである。
【発明の効果】
【００１１】
本発明の１のポケット開口部構造によれば、ポケットへの物品の装入は、開口部に何の構成要素も加えていないものと同様に、単純な物品の装入動作で装入が可能であり、他方、一旦装入された物品は、振動や揺動が生じ、或いは該開口部が下向きになっても、単にそれだけでは容易に該開口部から飛び出したり、落下したりすることはない。一方、自由に手を装入することが可能であるから、内部の物品を取り出すのに不都合はない。しかも極めて簡単な構造で以上の結果を得ることができる。
【００１２】
本発明の２のポケット開口部構造によれば、以上の効果をより確実かつ効果的に得ることができる。
【００１３】
本発明の３のポケット開口部構造によれば、ポケットへの物品の装入は同様に簡単に行えながら、内部の物品に対するより高い開口部閉鎖効果を得ることができる。
【発明を実施するための最良の形態】
【００１４】
本発明のポケット開口部構造は、ポケットの開口部の内側上縁部に相互に対向させて配設した一対の帯状吊下片と、該両帯状吊下片の下縁部に接続垂下させた硬質閉鎖片で構成したものである。
【００１５】
前記ポケットは、種々の衣類の裏側又は表側に構成する概ね小物物品収納用のそれ又はバッグ類の同様に裏側又は表側に構成する同様のものである。衣類の種類及びバッグの種類等は問わない。それぞれの材質も問わない。
【００１６】
前記帯状吊下片は、柔軟な材質のシート状部材で前記ポケットの開口部の幅に対応する幅に構成したものである。該帯状吊下片は布材を採用するのが適当であり、布材の種類は問わない。木綿、ウール、化繊などを自由に採用することができる。また該帯状吊下片は
概ね横長の帯状に構成する。なお前記開口部の幅に対応する幅というのは、横方向の長さのことであり、縦方向の長さはポケットの深さ方向の長さのことである。
【００１７】
前記硬質閉鎖片は、前記のように、前記帯状吊下片の下部に接続垂下させた硬質の帯状部材である。該帯状吊下片との接続の仕方は自由であり、例えば、該帯状吊下片の下端に接着結合することとしても、該帯状吊下片の下端を更に下方に延長して、下方に位置する該硬質閉鎖片を包むようにして接続するものとしても良い。
【００１８】
また該硬質閉鎖片は、前記のように、硬質である必要があるが、その材質は特定のそれに限定されない。例えば、プラスチック製の板材や金属板材を自由に採用することができる。もっともの開口部構造を衣類のポケットに適用する場合はこの衣類にアイロンを掛ける場合もあるので、この硬質閉鎖片として、熱で容易に変形を起こす部材は適当でない。従ってこのような場合は金属製の部材やプラスチックでもアイロンの熱程度の温度では変形を生じないものを採用すべきことになる。
【００１９】
該硬質閉鎖片は、ポケットの開口部とポケット内部の幅が同一の場合は、その幅を前記帯状吊下片とほぼ同一にすべきものであり、ポケット内部の方が幅広に構成されている場合は、該ポケットの幅に対応する幅寸法とすべきである。
【００２０】
また該硬質閉鎖片は、そのポケット深さ方向の寸法を、前記帯状吊下片のポケット深さ方向の寸法の１／２、或いはその前後程度とするのが適当である。該硬質閉鎖片は、単なる棒状部材では不都合であり、前記のように、ある程度の深さ方向の寸法を持った帯状部材であることが必要である。このポケット深さ方向の寸法は、多くの場合に１cm程度が適当である。
【００２１】
更に該硬質閉鎖片は、一対のそれの内の一方を他方よりポケット深さ方向に長く構成し、該一方の硬質閉鎖片の下部の他方より長く延長した部分を他方側に向けて、側面から見て「く」字形状に屈曲させることとするのが適当である。
【００２２】
従って本発明の開口部構造によれば、ポケットへの物品の装入は、開口部から両側の帯状吊下片の間及びその両下方の硬質閉鎖片の間を通過させて、単純な物品の装入動作によって装入することが可能である。前記のように、両側の帯状吊下片は柔軟な部材で構成され、開口部両側から吊下状態に構成されているだけであるため、その間に物品を装入すると極めて簡単に広がるからである。硬質閉鎖片もそれらの帯状吊下片の下部に取り付けてあるものであるから、同様の場合にその間が同様に広がり、装入動作による物品のこの間の通過は同様の容易に行われうるものである。
【００２３】
他方、一旦該ポケット中に装入された物品は、衣類の場合は、これを着用している人の動きによって、振動や揺動が生じ、或いはそのポケットの開口部が下向きになっても、単にそれだけでは容易に該開口部から飛び出したり、落下したりすることはない。
【００２４】
ポケットの開口部前後に配した一対の帯状吊下片は、各々を配した側の裏面から若干離れた状態に垂下状態となるため、それぞれの下端に配した硬質閉鎖片は、相互にかなり接近した状態となる。他方、ポケットに一旦収納した物品は、該ポケットが傾いたり、開口部が下向きになったりした場合に、中空を飛んで動くようなことは殆どあり得ず、ポケットのいずれかの部位の内面を滑って動くのが普通である。そのためこのような場合に、このような物品は、ポケットのいずれかの内面と硬質閉鎖片及び帯状吊下片によって形成される面との間に滑り込む状態となるのが普通であり、該ポケットから飛び出してしまうような問題は生じない。
【００２５】
該ポケットが振動又は揺動したりした場合にも、ポケット内の物品が真ん中から飛び上がるようなことは殆ど起こりえないし、該一対の硬質閉鎖片間の間隔も狭いので、同様に、このような場合も、該ポケット内の物品が該ポケットから飛び出してしまうような問題は生じない。
【００２６】
前記のように、前記帯状吊下片のポケット深さ方向の寸法を前記硬質閉鎖片のポケット深さ方向の寸法の２倍又はその前後に構成した場合には、一対の硬質閉鎖片の相互がポケット中でより近接した状態になりうるので、ポケットの閉鎖効果がより高くなる。他方、ポケット内部への物品の装入に関しては、そのように構成しない場合と異ならず、容易に行い得られるものである。
【００２７】
前記のように、前記一対の硬質閉鎖片の内の一方のそれを他方のそれよりポケット深さ方向に長く構成し、その一方の硬質閉鎖片の下部の他方より長い部分を他方側に向けて側面から見て「く」字形状に屈曲させた場合には、硬質閉鎖片の一方が他方との間の隙間を閉じるように屈曲しているので、ポケットの閉鎖効果がより高くなる。他方、ポケット内部への物品の装入に関しては、そのように構成しない場合と異ならず、容易に行い得られるものである。
【００２８】
またいずれの場合でも、本発明のポケット開口部構造は、内部に収納した物品は、ポケットを振動させたり、揺動させたり、傾けたり、或いは下向きにしても、単にそれだけでは内部の物品が飛び出すようなことはないが、前記一対の帯状吊下片は柔軟な部材で構成したものであり、硬質閉鎖片はその下部に配してあるだけであるから、ポケットの開口部に手を差し込めば、その間は容易に広げうるものであり、ポケット内部の物品は容易に取り出すことができるものである。
【００２９】
このように、本発明のポケット開口部構造によれば、簡単な構成でありながら、ポケットの出入開口部を自ずと封鎖することができるので、利用者は封鎖を意識する必要がなく、使い勝手の良いポケット開口部構造を実現することができる。
【実施例１】
【００３０】
この実施例１のポケット開口部構造は、図１(a)〜(d)に示すように、ポケット１の開口部１ａの内側上縁部に相互に対向させて配設した一対の帯状吊下片２、３と、該両帯状吊下片２、３の下縁部に配した硬質閉鎖片４、５とで構成したものである。
【００３１】
前記ポケット１は、この実施例１では衣類Ｂの外面に構成してあるそれであり、該衣類Ｂの外面に布１ｃの左右及び下部の三辺を縫合して構成したものである。
【００３２】
前記帯状取付片２、３はその上縁をポケット１の開口部１ａに取り付ける。図１(a)に示すように、前者の帯状取付片２は、その上縁部の図示しない取付代をポケット１の後部側を構成する衣類Ｂの表面側上部に縫合し、後者の帯状取付片３は、該ポケット１の前部側を構成する布１ｃの内側上部に縫合して取り付け、それぞれここからポケット１の収容部１ｂ内部に垂下させたものである。
【００３３】
該帯状取付片２、３は、前記のように、その下端部に前記硬質閉鎖片４、５を吊下げ状態に配するもので、該硬質閉鎖片４、５と同様に帯状であるが、ポケット１の深さ方向に長く、図１(d)に示すように、その寸法ｈ１は該硬質閉鎖片４、５の寸法ｈ２の約２倍の深さ方向寸法としてある。具体的には、この実施例１では、この寸法ｈ１は２cmとしてある。もっとも下端部は更に下方に延長し、前記硬質閉鎖片４、５をそれぞれその延長部分で包んで貼り合わせ結合に利用している。また該帯状取付片２、３の材質としては、柔軟な上着の裏地材を用いている。該帯状取付片２、３の幅方向、即ち、ポケット１の幅方向と同一方向の寸法は、該ポケット１のそれとほぼ一致させてある。
【００３４】
前記硬質閉鎖片４、５は、細長な帯状部材で、この実施例１では、取付対象のポケット１の収容部１ｂ内の幅は開口部１ａの幅と一致しているため、その幅はポケット１の幅に対応させ、これとほぼ同一とする。従ってこの幅は、図１(d)に示すように、前記帯状取付片２、３の幅と同一である。これらの硬質閉鎖片４、５のポケット１の深さ方向の寸法ｈ２は、図１(d)に示すように、前記したように、前記帯状取付片２、３の１／２であるから、１cmに設定してある。これらの硬質閉鎖片４、５の素材はアイロンを掛けた場合の熱変形を避ける趣旨で金属板材を用いている。
【００３５】
該硬質閉鎖片４、５は、前記したように、それぞれ前記帯状取付片２、３の下端から延長した延長部分に貼り合わせつつこれで包まれた状態にすることにより結合しているものである。
【００３６】
この実施例１のポケット開口部構造によれば、図２(a)に示すように、ポケット１の収容部１ｂ中への物品Ｍの装入は、開口部１ａから両側の帯状吊下片２、３の間及びその両下方の硬質閉鎖片４、５の間を通過させて、単純な装入動作によって装入することが可能である。前記のように、両側の帯状吊下片２、３は柔軟な部材で構成されているため、物品Ｍでこれら及びその下方の硬質閉鎖片４、５間を押し広げつつ装入できるからである。
【００３７】
一旦該ポケット１の収容部１ｂ中に装入された物品Ｍは、これを着用している人の動きによって、振動や揺動が生じ、或いはそのポケット１の開口部１ａが下向きになっても、単にそれだけでは容易に該開口部１ａから飛び出したり、落下したりすることはない。
【００３８】
ポケット１の開口部１ａ前後に配した一対の帯状吊下片２、３は、各々を配した衣類Ｂ側の面又は布１ｃの裏面から若干離れた状態に垂下状態となるため、それぞれの下端に配された硬質閉鎖片４、５は、相互にかなり接近した状態となる。他方、ポケット１に一旦収納された物品Ｍは、該ポケット１が傾いたり、開口部１ａが下向きになったりした場合に、ポケット１中のいずれかの部位の内面を滑って動くのが普通である。そのためこのような場合に、このような物品Ｍは、図２(b)に示すように、ポケット１の衣類Ｂ側の面又は布１ｃ側の面と硬質閉鎖片４、５及び帯状吊下片２、３によって形成される面との間に滑り込む状態となるのが普通であり、それ故、該ポケット１から飛び出してしまうような問題は生じない。
【００３９】
該ポケット１が振動又は揺動したりした場合にも、ポケット１の収容部１ｂ内の物品Ｍが真ん中から飛び上がるようなことは殆ど起こりえないし、該一対の硬質閉鎖片４、５間の間隔も、前記のように、狭いので、同様に、このような場合も、該ポケット１の収容部１ｂ内の物品Ｍが該ポケット１から飛び出してしまうような問題は生じない。
【００４０】
またこの実施例１のポケット開口部構造は、前記一対の帯状吊下片２、３を柔軟な部材で構成したものであり、硬質閉鎖片４、５はその下部に配してあるだけであるから、ポケット１の開口部１ａに手を差し込めば、その間は容易に広げ得るものであり、ポケット１の収容部１ｂ内の物品Ｍは容易に取り出すことができる。
【実施例２】
【００４１】
実施例２のポケット開口部構造は、実施例１のそれと殆ど同一であり、実施例１のポケット開口部構造の硬質閉鎖片４、５を他の構成の硬質閉鎖片１４、１５に変えた点のみが異なるものである。なお該硬質閉鎖片１４、１５は、その一方の硬質閉鎖片１５のみが実施例１のそれと異なるものであり、図３(a)に示すように、該硬質閉鎖片１５は、その下端部を他方の硬質閉鎖片１４より長く構成し、その延長部分を他方の硬質閉鎖片１４の下方側に「く」の字状に屈曲して構成したものである。
【００４２】
その結果、図３(c)に示すように、前記硬質閉鎖片１４、１５の隙間を下方側から閉じるような状態となるため、開口部１１ａが下向き傾斜状態になったような場合であっても、収容部１１ｂ中に装入してある物品Ｍは該硬質閉鎖片１４、１５の間隙を容易に通過することはできなくなる。このような硬質閉鎖片１５の構成はポケット１１の厚みｄ１が厚い場合により有効である。
【００４３】
なお、図３(b)に示すように、物品Ｍをポケット１１の収容部１１ｂに入れたり収容部１１ｂから取出したりする場合は、実施例１の場合と同様に、該硬質閉鎖片１４、１５相互の間隙は容易に広げることができるものであるから、支障なく行うことができる。
【００４４】
この実施例２のポケット開口部構造によれば、以上の他の点に関しては、実施例１と全く同様の効果を得ることができる。
【図面の簡単な説明】
【００４５】
【図１】(a)は実施例１のポケット開口部構造の側面断面説明図、(b)は実施例１のポケット開口部構造の正面説明図、(c)は実施例１のポケット開口部構造の平面説明図、(d)は実施例１のポケット開口部構造に於ける帯状取付片と硬質閉鎖片との正面説明図。
【図２】(a)はポケットにその開口部から物品を装入する操作を説明する実施例１のポケット開口部構造の一部切欠側面断面説明図、(b)は開口部を斜め下向にした場合の物品の飛び出し防止作用を説明する実施例１のポケット開口部構造の一部切欠側面断面説明図。
【図３】(a)は実施例２のポケット開口部構造の一部切欠側面断面説明図、(b)はポケットにその開口部から物品を装入する操作を説明する実施例２のポケット開口部構造の一部切欠側面断面説明図、(c)は開口部を斜め下向にした場合の物品の飛び出し防止作用を説明する実施例２のポケット開口部構造の一部切欠側面断面説明図。
【符号の説明】
【００４６】
１、１１  ポケット
１ａ、１１ａ  開口部
１ｂ、１１ｂ  収容部
１ｃ、１１ｃ  布
２、３  帯状取付片
４、５、１４、１５  硬質閉鎖片
Ｂ    衣類
Ｍ    物品
ｄ１  厚み
ｈ１  帯状取付片のポケット深さ方向の寸法
ｈ２  硬質閉鎖片のポケット深さ方向の寸法
【図１】
2006111981.tif 000003
【図２】
2006111981.tif 000004
【図３】
2006111981.tif 000005